(57)【要約】【課題】紛失したり、家に置きわすれたりした無線端末装置に網を介して予め定めた処理をおこなわせることができる端末装置が限定されず、無線端末装置に対して予め定めた処理を即座におこなわせることできるようにする。【解決手段】無線端末装置１の操作を網３を介してこの無線端末装置１と通信可能な端末装置２から行うようにした無線端末装置１の操作方式であって、端末装置２により、使用者の指示に従って入力された予め定めたキーワードを使用者の指示に従って入力された電話番号の無線端末装置１に網３を介して送り、無線端末装置１により、端末装置２から網３を介して予め定めたキーワードを受けこのキーワードに対応した処理を行う。【選択図】      図１
2004207971.tif 000002
【特許請求の範囲】
【請求項１】
無線端末装置の操作を網を介してこの無線端末装置と通信可能な端末装置から行うようにした無線端末装置の操作方式であって、
前記端末装置から前記網を介して予め定めたキーワードを受けこのキーワードに対応した処理を行う前記無線端末装置と、
使用者の指示に従って入力された予め定めた前記キーワードを前記使用者の指示に従って入力された電話番号の前記無線端末装置に前記網を介して送る前記端末装置と、
を備えたことを特徴とする無線端末装置の操作方式。
【請求項２】
無線端末装置の操作を網を介してこの無線端末装置と通信可能な端末装置から行うようにした無線端末装置の操作方式であって、
前記網より予め定めたキーワードを受けこのキーワードに対応した処理を行う前記無線端末装置と、
使用者の指示に従って予め定めた前記キーワードとこのキーワードの送り先の前記無線端末装置の電話番号とを前記網に出力する前記端末装置と、
前記端末装置より前記キーワードと前記電話番号とを受けこの電話番号で示す前記無線端末装置に前記キーワードを送る前記網と、
を備えたことを特徴とする無線端末装置の操作方式。
【請求項３】
前記無線端末装置は、前記キーワードに応じて、この無線端末装置の予め有する操作キーによるこの無線端末装置の操作を不能とするためのキーロック、前記無線端末装置に格納されている個人情報の前記端末装置への送信、又は、前記無線端末装置の位置情報の前記端末装置への送信を行うことを特徴とする請求項１又は２記載の無線端末装置の操作方式。
【請求項４】
無線端末装置の操作を網を介してこの無線端末装置と通信可能な端末装置から行うようにした無線端末装置の操作方式であって、
前記端末装置から前記網を介してこの端末装置の第２の電話番号とともに予め定めたキーワードを受け、このキーワードに対応した処理を行いこの処理に応じた情報を前記網を介して前記第２の電話番号で示す前記端末装置へ送る前記無線端末装置と、
使用者の指示に従って入力された前記キーワードと前記無線端末装置の第１の電話番号とを自端末装置の前記第２の電話番号とともに前記網を介して前記第１の電話番号で示す前記無線端末装置へ送り、前記キーワードに対応した前記情報を前記無線端末装置より前記網を介して受ける前記端末装置と、
を備えたことを特徴とする無線端末装置の操作方式。
【請求項５】
無線端末装置の操作を網を介してこの無線端末装置と通信可能な端末装置から行うようにした無線端末装置の操作方式であって、
前記網より予め定めたキーワードとともに前記端末装置の第２の電話番号を受け、この受けた前記キーワードに対応した処理を行いこの処理に応じた情報を前記第２の電話番号とともに前記網に出力する前記無線端末装置と、
使用者の指示に従って入力された予め定めた前記キーワードとこのキーワードの送り先である前記無線端末装置の第１の電話番号とを自端末装置の前記第２の電話番号とともに前記網に出力し、前記網より前記キーワードに対応した前記情報を受ける前記端末装置と、
前記端末装置より前記キーワードと前記第１の電話番号と前記第２の電話番号とを受け前記第１の電話番号で示す前記無線端末装置に前記キーワードと前記第２の電話番号とを送り、前記無線端末装置より前記キーワードに対応した前記情報と前記第２の電話番号とを受けこの第２の電話番号で示す前記端末装置に前記情報を送る前記網と、
を備えたことを特徴とする無線端末装置の操作方式。
【請求項６】
前記無線端末装置は、前記キーワードが、外部からの制御を可能とする外部コントロールモードの要求を示すときに、この無線端末装置の予め有する操作キーによるこの無線端末装置の操作を不能とするためのキーロックを行い、前記外部コントロールモードに入ったことを示す情報を前記第２の電話番号とともに前記網に出力するようにしたことを特徴とする請求項４又は５記載の無線端末装置の操作方式。
【請求項７】
前記無線端末装置は、外部からの制御を可能とする外部コントロールモード中に前記第２の電話番号とともに前記キーワードを受けたときに、このキーワードが個人情報の要求を示す場合、前記無線端末装置に格納されている個人情報を取り出し、この取り出した個人情報を前記第２の電話番号とともに前記網に出力するようにしたことを特徴とする請求項４又は５記載の無線端末装置の操作方式。
【請求項８】
前記無線端末装置は、外部からの制御を可能とする外部コントロールモード中に前記第２の電話番号とともに前記キーワードを受けたときに、このキーワードが位置情報の要求を示す場合、前記無線端末装置の位置情報を取得し、この取得した位置情報を前記第２の電話番号とともに前記網に出力するようにしたことを特徴とする請求項４又は５記載の無線端末装置の操作方式。
【請求項９】
前記無線端末装置は、携帯電話装置、ＰＨＳを含み、前記端末装置は、固定電話装置、携帯電話装置、ＰＨＳを含むことを特徴とする請求項１から８の何れか一項記載の無線端末装置の操作方式。
【請求項１０】
前記キーワードは、記号、英字、記号と英字の組み合わせを含むことを特徴とする請求項１から９の何れか一項記載の無線端末装置の操作方式。
【発明の詳細な説明】
【０００１】
【発明の属する技術分野】
本発明は無線端末装置の操作方式に関し、特に無線端末装置の操作を網を介してこの無線端末装置と通信可能な端末装置から行う無線端末装置の操作方式に関する。
【０００２】
【従来の技術】
従来、この種の無線端末装置の操作方式は、無線端末装置を紛失したときに、この無線端末装置をこの無線端末装置以外の端末装置より操作してこの無線端末装置を使用できないようにするために用いられている。
【０００３】
従来の無線端末装置の操作方式で使用される無線端末装置は、電話回線より到来する発呼者の端末装置の電話番号を認識し、この電話番号が特定の番号であった場合に、自無線端末装置の有するダイヤルをロックするダイヤルロック、自無線端末装置内に格納してある個人情報の該発呼者の端末装置への転送、自無線端末装置内に格納してある個人情報の消去を行い、自無線端末装置内の個人情報の漏洩を防止するようにしている（例えば、特許文献１参照）。
【０００４】
【特許文献１】
特開２０００−１５１７９８号公報（特許請求の範囲）
【０００５】
【発明が解決しようとする課題】
上述した従来の無線端末装置の操作方式は、無線端末装置により、発呼者の端末装置の電話番号を認識し、この電話番号が特定の番号であった場合に、自無線端末装置のダイヤルロック、個人情報の転送、個人情報の消去を行うことにより、個人情報の漏洩を防止するようにしているため、無線端末装置に個人情報の漏洩を防止する処理をおこなわせることができる端末装置の電話番号を予め格納しておく必要があるので、無線端末装置に個人情報の漏洩を防止する処理をおこなわせることができる端末装置が限定されるという問題がある。
【０００６】
このため、無線端末装置の使用者がこの無線端末装置が紛失していることがわかったときに、例え近くに携帯電話装置を有する友人がいてもこの携帯電話装置の電話番号が無線端末装置に予め格納されていないときには、この携帯電話装置を借りて無線端末装置に個人情報の漏洩を防止する処理をおこなわせることができないので、無線端末装置に個人情報の漏洩を防止する処理をおこなわせることが遅くなるという問題がある。
【０００７】
本発明の目的はこのような従来の欠点を除去するため、無線端末装置に個人情報の漏洩を防止する処理をおこなわせることができる端末装置が限定されず、無線端末装置に個人情報の漏洩を防止する処理をおこなわせることが遅くならない無線端末装置の操作方式を提供することにある。
【０００８】
【課題を解決するための手段】
本発明の第１の無線端末装置の操作方式は、無線端末装置の操作を網を介してこの無線端末装置と通信可能な端末装置から行うようにした無線端末装置の操作方式であって、
前記端末装置から前記網を介して予め定めたキーワードを受けこのキーワードに対応した処理を行う前記無線端末装置と、
使用者の指示に従って入力された予め定めた前記キーワードを前記使用者の指示に従って入力された電話番号の前記無線端末装置に前記網を介して送る前記端末装置と、
を備えて構成されている。
【０００９】
本発明の第２の無線端末装置の操作方式は、無線端末装置の操作を網を介してこの無線端末装置と通信可能な端末装置から行うようにした無線端末装置の操作方式であって、
前記網より予め定めたキーワードを受けこのキーワードに対応した処理を行う前記無線端末装置と、
使用者の指示に従って予め定めた前記キーワードとこのキーワードの送り先の前記無線端末装置の電話番号とを前記網に出力する前記端末装置と、
前記端末装置より前記キーワードと前記電話番号とを受けこの電話番号で示す前記無線端末装置に前記キーワードを送る前記網と、
を備えて構成されている。
【００１０】
本発明の第１と第２の無線端末装置の操作方式の前記無線端末装置は、前記キーワードに応じて、この無線端末装置の予め有する操作キーによるこの無線端末装置の操作を不能とするためのキーロック、前記無線端末装置に格納されている個人情報の前記端末装置への送信、又は、前記無線端末装置の位置情報の前記端末装置への送信を行うようにしている。
【００１１】
本発明の第３の無線端末装置の操作方式は、無線端末装置の操作を網を介してこの無線端末装置と通信可能な端末装置から行うようにした無線端末装置の操作方式であって、
前記端末装置から前記網を介してこの端末装置の第２の電話番号とともに予め定めたキーワードを受け、このキーワードに対応した処理を行いこの処理に応じた情報を前記網を介して前記第２の電話番号で示す前記端末装置へ送る前記無線端末装置と、
使用者の指示に従って入力された前記キーワードと前記無線端末装置の第１の電話番号とを自端末装置の前記第２の電話番号とともに前記網を介して前記第１の電話番号で示す前記無線端末装置へ送り、前記キーワードに対応した前記情報を前記無線端末装置より前記網を介して受ける前記端末装置と、
を備えて構成されている。
【００１２】
本発明の第４の無線端末装置の操作方式は、無線端末装置の操作を網を介してこの無線端末装置と通信可能な端末装置から行うようにした無線端末装置の操作方式であって、
前記網より予め定めたキーワードとともに前記端末装置の第２の電話番号を受け、この受けた前記キーワードに対応した処理を行いこの処理に応じた情報を前記第２の電話番号とともに前記網に出力する前記無線端末装置と、
使用者の指示に従って入力された予め定めた前記キーワードとこのキーワードの送り先である前記無線端末装置の第１の電話番号とを自端末装置の前記第２の電話番号とともに前記網に出力し、前記網より前記キーワードに対応した前記情報を受ける前記端末装置と、
前記端末装置より前記キーワードと前記第１の電話番号と前記第２の電話番号とを受け前記第１の電話番号で示す前記無線端末装置に前記キーワードと前記第２の電話番号とを送り、前記無線端末装置より前記キーワードに対応した前記情報と前記第２の電話番号とを受けこの第２の電話番号で示す前記端末装置に前記情報を送る前記網と、
を備えて構成されている。
【００１３】
本発明の第３と第４の無線端末装置の操作方式の前記無線端末装置は、前記キーワードが、外部からの制御を可能とする外部コントロールモードの要求を示すときに、この無線端末装置の予め有する操作キーによるこの無線端末装置の操作を不能とするためのキーロックを行い、前記外部コントロールモードに入ったことを示す情報を前記第２の電話番号とともに前記網に出力するようにしている。
【００１４】
本発明の第３と第４の無線端末装置の操作方式の前記無線端末装置は、外部からの制御を可能とする外部コントロールモード中に前記第２の電話番号とともに前記キーワードを受けたときに、このキーワードが個人情報の要求を示す場合、前記無線端末装置に格納されている個人情報を取り出し、この取り出した個人情報を前記第２の電話番号とともに前記網に出力するようにしている。
【００１５】
本発明の第３と第４の無線端末装置の操作方式の前記無線端末装置は、外部からの制御を可能とする外部コントロールモード中に前記第２の電話番号とともに前記キーワードを受けたときに、このキーワードが位置情報の要求を示す場合、前記無線端末装置の位置情報を取得し、この取得した位置情報を前記第２の電話番号とともに前記網に出力するようにしている。
【００１６】
【発明の実施の形態】
次に、本発明の実施の形態について図面を参照して説明する。
【００１７】
図１は、本発明の無線端末装置の操作方式の一つの実施の形態を示すブロック図である。
【００１８】
図１に示す本実施の形態は、例えば、紛失したり、家に置きわすれたりした無線端末装置１（例えば、携帯電話装置、ＰＨＳ等）と、この無線端末装置１を操作する端末装置２（例えば、携帯電話装置、ＰＨＳ、固定電話端末等）と、無線端末装置１と端末装置２とを接続する網３とにより構成する。
【００１９】
端末装置２を、携帯電話装置又はＰＨＳとしたときには、網３を移動通信網とし、端末装置２を、固定電話端末としたときには、網３を移動通信網と固定電話網とで構成する。
【００２０】
端末装置２は、この端末装置２の使用者の指示に従って予め定めたキーワードとこのキーワードの送り先の無線端末装置１の電話番号とを網３に出力する。
【００２１】
網３は、端末装置２よりキーワードと電話番号とを受けこの電話番号で示す無線端末装置１にキーワードを送る。
【００２２】
無線端末装置１は、網３よりキーワードを受けこのキーワードに応じて、この無線端末装置１の予め有する操作キーによるこの無線端末装置１の操作を不能とするためのキーロック、無線端末装置１に格納されている個人情報の端末装置２への送信、無線端末装置１の位置情報の端末装置２への送信等を行う。
【００２３】
次に、本実施の形態の無線端末装置の操作方式の動作を図２を参照して詳細に説明する。
【００２４】
図２は、本発明の実施の形態の動作の一例を示すフローチャートである。
【００２５】
図１において、図２に示すステップ１では、無線端末装置１（例えば、携帯電話装置とする。）の持ち主は、自分の無線端末装置１を所持していないことに気づき、例えば、近くにいる友人の端末装置２（例えば、携帯電話装置とする。）を借り、この端末装置２を使用して、無線端末装置１を外部からの制御を可能とする外部コントロールモードにするために、外部コントロールモードの要求を示すキーワード（例えば”Ｘ”）を無線端末装置１の電話番号に付加して発信する。ここで、キーワードは、記号、英字、又は記号と英字の組み合わせ等である。
【００２６】
ステップ２では、網３（例えば、移動通信網とする）は、端末装置２よりキーワード”Ｘ”を付加した電話番号と端末装置２の電話番号とを受け、キーワード”Ｘ”が付加された電話番号で示す無線端末装置１にこのキーワード”Ｘ”と端末装置２の電話番号とを送る。
【００２７】
ステップ３では、無線端末装置１は、網３よりキーワード”Ｘ”とともに端末装置２の電話番号を受け、このキーワード”Ｘ”が外部コントロールモードの要求を示すキーワードであることを認識し、この無線端末装置１の予め有する操作キーによるこの無線端末装置１の操作を不能とするためのキーロックを行い、外部コントロールモードに入ったことを示す情報を端末装置２の電話番号とともに網３に出力する。
【００２８】
ステップ４では、網３は、無線端末装置１より外部コントロールモードに入ったことを示す情報とともに電話番号を受けこの受けた電話番号で示す端末装置２に外部コントロールモードに入ったことを示す情報を送る。
【００２９】
ステップ５では、端末装置２は、網３より外部コントロールモードに入ったことを示す情報を受け、表示等を行う。
【００３０】
ステップ６では、次に、例えば、無線端末装置１の持ち主は、この端末装置２を使用し、無線端末装置１に格納されている個人情報を吸い上げるために、個人情報の要求を示すキーワード（例えば”Ｙ”）を無線端末装置１の電話番号に付加して発信する。
【００３１】
ステップ７では、網３は、端末装置２よりキーワード”Ｙ”を付加した電話番号と端末装置２の電話番号とを受け、キーワード”Ｙ”が付加された電話番号で示す無線端末装置１にこのキーワード”Ｙ”と端末装置２の電話番号とを送る。
【００３２】
ステップ８では、無線端末装置１は、網３よりキーワード”Ｙ”とともに端末装置２の電話番号を受け、このキーワード”Ｙ”が個人情報の要求を示すキーワードであることを認識し外部コントロールモード中であるときに、この無線端末装置１に格納されている個人情報（電話帳、スケジュール等）を取り出し、この取り出した個人情報を端末装置２の電話番号とともに網３に出力する。
【００３３】
ステップ９では、網３は、無線端末装置１より個人情報とともに電話番号を受けこの受けた電話番号で示す端末装置２にこの個人情報を送る。
【００３４】
ステップ１０では、端末装置２は、網３より個人情報を受け表示し、無線端末装置１の持ち主（端末装置２の使用者）は、この表示を見て個人情報を確認したり、この個人情報を格納したりする。
【００３５】
ステップ１１では、更に、例えば、無線端末装置１の持ち主は、この端末装置２を使用し、無線端末装置１の存在する場所を知るために、位置情報の要求を示すキーワード（例えば”Ｚ”）を無線端末装置１の電話番号に付加して発信する。
【００３６】
ステップ１２では、網３は、端末装置２よりキーワード”Ｚ”を付加した電話番号と端末装置２の電話番号とを受け、キーワード”Ｚ”が付加された電話番号で示す無線端末装置１にこのキーワード”Ｚ”と端末装置２の電話番号とを送る。
【００３７】
ステップ１３では、無線端末装置１は、網３よりキーワード”Ｚ”とともに端末装置２の電話番号を受け、このキーワード”Ｚ”が位置情報の要求を示すキーワードであることを認識し外部コントロールモード中であるときに、この無線端末装置１の存在する位置を取得し、この取得した位置情報を端末装置２の電話番号とともに網３に出力する。無線端末装置１の存在する位置の取得は、予めこの無線端末装置１がＧＰＳ（グローバル・ポジショニング・システム）受信機能を備えているときには、このＧＰＳ受信機能により行う。また、ＧＰＳ受信機能を備えていないときには、この無線端末装置１が在圏するエリアをカバーする基地局のＩＤに対応する位置とする。
【００３８】
ステップ１４では、網３は、無線端末装置１より位置情報とともに電話番号を受けこの受けた電話番号で示す端末装置２にこの位置情報を送る。
【００３９】
ステップ１５では、端末装置２は、網３より位置情報を受け表示し、無線端末装置１の持ち主（端末装置２の使用者）は、この表示を見て無線端末装置１の所在を知ることできる。
【００４０】
以上の図２のフローチャートによる説明では、網３を移動通信網とし、無線端末装置１と端末装置２とを携帯電話装置として記載したが、網３を、移動通信網と固定電話網とで構成し、端末装置２を固定電話としても良い。
【００４１】
【発明の効果】
以上説明したように、本発明の無線端末装置の操作方式によれば、網を介して無線端末装置と通信可能な端末装置により、使用者の指示に従って入力された予め定めたキーワードを使用者の指示に従って入力された電話番号の無線端末装置に網を介して送り、無線端末装置により、端末装置から網を介して予め定めたキーワードを受けこのキーワードに対応した処理を行うため、例えば、友人の携帯電話装置を借りる等の近くにある任意の端末装置を使用して、予め定めたキーワードを予め定めた処理をおこなわせたい無線端末装置の電話番号とともに網を介して送ることにより、無線端末装置に、このキーワードに対応した処理を行わせることができるので、無線端末装置に予め定めた処理をおこなわせることができる端末装置が限定されず、無線端末装置に対して予め定めた処理を即座におこなわせることできる。
【００４２】
また、本発明の無線端末装置の操作方式によれば、網を介して無線端末装置と通信可能な端末装置により、この無線端末装置の予め有する操作キーによるこの無線端末装置の操作を不能とするためのキーロック、無線端末装置に格納されている個人情報の端末装置への送信、又は、無線端末装置の位置情報の端末装置への送信を指示する、使用者の指示に従って入力されたキーワードを使用者の指示に従って入力された電話番号の無線端末装置に網を介して送り、無線端末装置により、端末装置から網を介してこのキーワードを受けこのキーワードに対応した処理（キーロック、個人情報の送信、又は位置情報の送信）を行うため、例えば、友人の携帯電話装置を借りる等の近くにある任意の端末装置を使用して、キーロック、個人情報の送信、又は位置情報の送信を行わせるためのキーワードを無線端末装置の電話番号とともにこの無線端末装置に送ることにより、無線端末装置に、このキーワードに対応した処理（キーロック、個人情報の送信、又は位置情報の送信）を行わせることができるので、無線端末装置に個人情報の漏洩を防止する処理をおこなわせることができる端末装置が限定されず、無線端末装置に対して個人情報の漏洩を防止する処理を即座におこなわせることできる。
【図面の簡単な説明】
【図１】本発明の無線端末装置の操作方式の一つの実施の形態を示すブロック図である。
【図２】本発明の実施の形態の動作の一例を示すフローチャートである。
【符号の説明】
１    無線端末装置
２    端末装置
３    網
【図１】
2004207971.tif 000003
【図２】
2004207971.tif 000004